(57)【要約】【課題】  入力した画像データを出力する際に、入力した画像データのうち所定の指示を受け付けたプレビュー画像に対応するページを出力せずに、他のページを出力することを可能にする。【解決手段】  入力した画像データの各ページが白紙か否かを判定する判定手段と、入力した画像データの各ページに対応するプレビュー画像を表示部に表示させる表示制御手段と、判定手段により白紙と判定されたページのプレビュー画像に対して所定の指示を受け付ける受付手段と、入力した画像データを出力する際に、入力した画像データのうち受付手段によって所定の指示を受け付けたプレビュー画像に対応するページを出力せずに、他のページを出力する出力手段とを有することを特徴とする。【選択図】  図５
2018148572.tif 000002
【特許請求の範囲】
【請求項１】
入力した画像データの各ページが白紙か否かを判定する判定手段と、
前記入力した画像データの各ページに対応するプレビュー画像を表示部に表示させる表示制御手段と、
前記判定手段により白紙と判定されたページのプレビュー画像に対して所定の指示を受け付ける受付手段と、
前記入力した画像データを出力する際に、前記入力した画像データのうち前記受付手段によって前記所定の指示を受け付けたプレビュー画像に対応するページを出力せずに、他のページを出力する出力手段とを有することを特徴とする画像処理装置。
【請求項２】
前記受付手段は、前記判定手段により白紙と判定されたページが複数ある場合に、前記判定手段により白紙と判定されたページのそれぞれについて前記所定の指示を受け付け可能であることを特徴とする請求項１に記載の画像処理装置。
【請求項３】
前記表示制御手段は、さらに、前記判定手段により白紙と判定されたページに対して所定の指示を受け付けるオブジェクトを前記表示部に表示させることを特徴とする請求項１または２に記載の画像処理装置。
【請求項４】
前記表示制御手段は、さらに、前記判定手段によって白紙と判定するために用いられる閾値を調整する画面を表示するための調整用オブジェクトを前記表示部に表示させることを特徴とする請求項１乃至３のいずれか１項に記載の画像処理装置。
【請求項５】
前記出力手段は、前記入力した画像データを送信する際に、前記入力した画像データのうち前記受付手段によって前記所定の指示を受け付けたプレビュー画像に対応するページを送信せずに、他のページを送信する送信手段であることを特徴とする請求項１乃至４のいずれか１項に記載の画像処理装置。
【請求項６】
前記入力された画像データのうち、前記表示部に表示されており前記判定手段により白紙と判定されたページのプレビュー画像に対応するページより後に入力され、前記判定手段により白紙と判定されたページの数を前記表示部に表示することを特徴とする請求項１乃至５のいずれか１項に記載の画像処理装置。
【請求項７】
前記入力された画像データのうち、前記表示部に表示されており前記判定手段により白紙と判定された第２のページのプレビュー画像に対応するページより先に入力され、前記判定手段により白紙と判定されたページの数を前記表示部に表示することを特徴とする請求項１乃至６のいずれか１項に記載の画像処理装置。
【請求項８】
前記所定の指示は、削除指示であることを特徴とする請求項１乃至７のいずれか１項に記載の画像処理装置。
【請求項９】
入力した画像データの各ページが白紙か否かを判定する判定ステップと、
前記入力した画像データの各ページに対応するプレビュー画像を表示部に表示させる表示制御ステップと、
前記判定ステップで白紙と判定されたページのプレビュー画像に対して所定の指示を受け付ける受付ステップと、
前記入力した画像データを出力する際に、前記入力した画像データのうち前記受付手段によって前記所定の指示を受け付けたプレビュー画像に対応するページを出力せずに、他のページを出力する出力ステップとを有することを特徴とする画像処理方法。
【請求項１０】
コンピュータに請求項９の画像処理方法を実行させるためのプログラム。
【発明の詳細な説明】
【技術分野】
【０００１】
本発明は処理対象の画像データが、印字情報を含む画像データであるか、印字情報を含まない画像データであるか判定する画像処理装置に関する。
【背景技術】
【０００２】
現在の画像処理装置では、自動原稿搬送装置（ＡＤＦ：Ａｕｔｏ  Ｄｏｃｕｍｅｎｔ  Ｆｅｅｄｅｒ）で原稿を読み取り、読み取った画像データの中から印字情報を含まない白紙の画像データを検知し、この画像データをメモリから削除することが可能である。
【０００３】
また、特許文献１には、印字情報を含まないと判定された画像データの確認を行うために、読み取った複数の画像データをプレビュー表示することが開示されている。この場合、印字情報を含まないと判定された画像データも印字情報を含むと判定された画像データも表示する場合がある。また、印字情報を含まないと判定された画像データは表示せず印字情報を含むと判定された画像データのみ表示する場合がある。
【０００４】
また、特許文献２には印字情報を含まないと判定された画像データのみのプレビュー画像を生成して表示することが開示されている。また、この印字情報を含まないと判定された画像データの直前・直後に読み取られた画像データのプレビュー画像と一緒に表示を行うことや原稿種別の情報を合わせてプレビュー画像表示することが可能な画像処理装置が開示されている。
【先行技術文献】
【特許文献】
【０００５】
【特許文献１】特許４６１０６４４
【特許文献２】特開２０１０−２５８７９８号公報
【発明の概要】
【発明が解決しようとする課題】
【０００６】
しかしながら、上記従来の構成では、表示画面にて一度に複数の画像データをプレビュー表示する。よって、ページめくり操作（表示画面を次の画面へ切り替える操作）を行う場合があり、この場合、印字情報を含まないと判定された画像データに対応するプレビュー画像を見落としてしまうことが考えられる。更に、印字情報を含まないと判定された画像データに対応するプレビュー画像のみ表示すると、印字情報を含まないと判定された画像データが読み取った複数の画像データ全体のどこに位置しているのかを確認することが困難である。更に、印字情報を含まないと判定された画像データの有無を確認する為だけに印字情報を含まないと判定された画像データに対応するプレビュー画像のみ表示する表示モードを起動することは、ユーザにとって過負荷で複雑なオペレーションであった。
【課題を解決するための手段】
【０００７】
本願請求項１に係る発明は、入力した画像データの各ページが白紙か否かを判定する判定手段と、前記入力した画像データの各ページに対応するプレビュー画像を表示部に表示させる表示制御手段と、前記判定手段により白紙と判定されたページのプレビュー画像に対して所定の指示を受け付ける受付手段と、前記入力した画像データを出力する際に、前記入力した画像データのうち前記受付手段によって前記所定の指示を受け付けたプレビュー画像に対応するページを出力せずに、他のページを出力する出力手段とを有することを特徴とする。
【発明の効果】
【０００８】
本発明によれば、入力した画像データを出力する際に、入力した画像データのうち所定の指示を受け付けたプレビュー画像に対応するページを出力せずに、他のページを出力することを可能にする。
【図面の簡単な説明】
【０００９】
【図１】実施形態１に係る画像処理装置の構成の一例を示すブロック図である。
【図２】画像入力部の内部構成の一例を示すブロック図である。
【図３】操作部１０５の構成の一例を示す平面図である。
【図４】画像表示部３０１に表示される画面の一例を示す図である。
【図５】画像表示部３０１に表示される画面の一例を示す図である。
【図６】画像データ構造を示す図である。
【図７】表示制御処理の流れを示すフローチャートである。
【発明を実施するための形態】
【００１０】
以下、本発明を実施するための形態について図面を用いて説明する。
【００１１】
（実施形態１）
図１は、本実施例に係る表示制御装置の一例として画像処理装置１０の構成例を示すブロック図である。制御部１０１は装置全体を制御し、ＣＰＵ（Ｃｅｎｔｒａｌ  Ｐｒｏｃｅｓｓｉｎｇ  Ｕｎｉｔ）等により構成される。制御バス１０２は制御部１０１と各ブロックとを接続する。ＲＯＭ（Ｒｅａｄ  Ｏｎｌｙ  Ｍｅｍｏｒｙ）１０３は、制御部１０１が実行するプログラムが記憶されている。ＲＡＭ（Ｒａｎｄｏｍ  Ａｃｃｅｓｓ  Ｍｅｍｏｒｙ）１０４は、制御部１０１による制御において、制御データの一時記憶、あるいはワークメモリとして使用される。操作部１０５は液晶パネル（ＬＣＤ：Ｌｉｑｕｉｄ  Ｃｒｙｓｔａｌ  Ｄｉｓｐｌａｙ）等の表示装置とタッチバッド等の位置入力装置等により構成され、ユーザが例えば装置の動作等を指示する。画像入力部１０６はであり、原稿の画像データの読み取りを行う。画像処理部１０７は、画像入力部１０６により読み取った画像データに対して画像処理を施す。記憶部１０８は、画像入力部１０６あるいは画像処理部１０７の入出力データを記憶するものである。
【００１２】
さらに記憶部１０８は、後ほど説明するが、画像データが印字情報を含むか否かを示す情報も、画像データと一緒に記憶する。
【００１３】
この記憶部１０８は以下により構成される。
【００１４】
ハードディスクドライブ（ＨＤＤ）、ソリッドステートドライブ（ＳＳＤ）、ＤＤＲ−ＤＤＲ（Ｄｏｕｂｌｅ  Ｄａｔａ  Ｒａｔｅ  Ｓｙｎｃｈｒｏｎｏｕｓ  ｄｙｎａｍｉｃＲａｎｄｏｍ  Ａｃｃｅｓｓ  Ｍｅｍｏｒｙ）等により構成される。画像出力部１０９は、画像処理部１０７によって処理された画像データを印字出力する。画像送信部１１０は、画像入力部１０６によって読み取った原稿の画像データや画像処理部１０７によって処理された画像データ、あるいは記憶部１０８に記憶した画像データを送信する。ＤＭＡＣ（Ｄｉｒｅｃｔ  Ｍｅｍｏｒｙ  Ａｃｃｅｓｓ  Ｃｏｎｔｒｏｌｌｅｒ）１１１は、制御部１０１の制御に基づき、画像入力部１０６、画像処理部１０７、記憶部１０８、画像出力部１０９、画像送信部１１０間のデータ転送制御を行う。１１２はＤＭＡＣ１１１によるデータ転送を行う。通信網１１３は画像送信部１１０に接続される装置外部の通信網（ＬＡＮ：Ｌｏｃａｌ  Ａｒｅａ  Ｎｅｔｗｏｒｋ等）である。
【００１５】
＜画像入力部１０６の構成＞
画像入力部１０６の構成に関して、図２を用いて説明する。図２は画像入力部１０６の内部構成を示す図である。同図において、読取デバイス１０６１は、ＣＣＤ、ＣＭＯＳ、あるいはＣＩＳにより構成される。原稿の画像データは読取デバイス１０６１を介して読み取られ、読み取られたアナログの画像データが後段処理部に対して出力される。Ａ／Ｄ変換部１０６２は、読み取りデバイス１０６１による読み取りデータをデジタル変換する。読取画像処理部１０６３は、読み取った画像データのハイライト部（白）およびダーク部（黒）のレベルを合わせるシェーディング補正、ＭＴＦ（Ｍｏｄｕｌａｔｉｏｎ  Ｔｒａｎｓｆｅｒ  Ｆｕｎｃｔｉｏｎ）補正、高周波抑制処理等の処理を行う。白紙判定部１０６４は、読取画像処理部１０６３により処理された画像データを参照し、読み取られた画像データが印字情報を含むか否か、すなわち白紙であるか否かの判定を行う。
【００１６】
ここで白紙とは印字情報（すなわちコンテンツ）がないと判定された原稿を指す。印字情報がなければ、色紙のような色付きの原稿や再生紙も白紙として扱う。すなわち白紙判定とは、原稿に印刷されたコンテンツの有無の判定である。また、これらを読み取った際の画像データ、読み取った際の裏写りのみの画像データも以下では白紙と呼ぶ。一方で少量の文字や網点で印字された薄い文字等で記載されている原稿は白紙ではない。手書きまたはプリンタで印字された印字情報を含む用紙を読み取った画像データはコンテンツデータと呼ぶ。
【００１７】
＜白紙判定方法＞
白紙判定部１０６４による白紙の判定方法は、例えば、読取画像処理部１０６３により処理された画像データの輝度値の頻度分布を用いて検知する。白紙判定部１０６４は、読取画像処理部１０６３が出力する画像データをもとに、原稿１枚分を読み取ることで得た読取画像データの頻度分布を生成する。そして、生成された頻度分布から平均値、分散値を求める。分散値を求める理由は、原稿の読み取り画像データに有意な情報（印字情報）が含まれている場合、算出された分散値が大きくなる特徴を用いるためである。
【００１８】
本実施例では白紙判定の方法として頻度分布を使用する方法について述べたがこれに限定されるものではない。例えば読取画像データのエッジを検出する処理部を設け、エッジと判定された画素を計数し、その計数値に応じて白紙の判定をするようにしても良い。また、頻度分布、分散値、エッジ数を組み合わせて白紙の判定をするようにしても良い。
【００１９】
また、白紙判定をこのような手法で行う場合、画像形成装置が、取得した画像データを白紙として判定する際に用いる判定基準（閾値）の設定が可能である。頻度分布の分散値を用いて白紙判定を行う場合、画像データから得られた分散値が閾値よりも高い場合がコンテンツ、閾値よりも低い場合が白紙と判定することができる。つまり、画像データをより白紙と判定させたい場合は判定に用いられる閾値を高く設定する。一方、画像データをより白紙と判定しにくくさせたい場合は判定に用いられる閾値を低く設定する。以降、白紙判定部１０６４の構成を、白紙判定レベル設定が可能なものとして説明する。
【００２０】
画像入力部１０６は、読み取った原稿画像データに対して読取画像処理部１０６３により処理を施した画像データと、白紙判定部１０６４による白紙判定結果を出力する。白紙判定に頻度分布、および頻度分布から算出される分散値等を用いる場合、画像入力部１０６による一度の原稿読み取りに対して、複数の判定レベルを用いた白紙判定が可能である。つまり、求めた分散に判定レベルの異なる複数の閾値を適用して、閾値毎の白紙判定結果を得る。このため白紙判定レベル毎に同一の原稿を複数回読み取る必要がない。
【００２１】
なお、白紙判定部１０６４が出力する白紙判定結果は、画像形成装置の使用者により設定された白紙判定レベルに基づく結果のみを出力しても良い。または、本実施例にて用いられる画像形成装置に設定可能な全ての白紙判定レベルの結果を出力しても良い。画像形成装置の使用者により設定された白紙判定レベルに基づく結果のみを出力する場合は、白紙と判定した場合に１を、白紙ではないと判定した場合に０を出力する。また、本実施例にて用いられる画像形成装置に設定可能な白紙判定レベルを３段階とする場合、白紙判定レベルが低い、すなわち白紙と判定され難い方から順に、判定結果を「０１１」のように３つの結果を併せて出力しても良い。そしてその時に、原稿読み取り時にどの白紙判定レベルによる判定結果であるか判別可能にしても良い。例えば、白紙判定結果が前述の順序で「０１１」である場合で予め設定された白紙判定レベルが２番目に白紙と判定し易いもの（判定レベルが上から２番目）であった場合は、以下のような表示を行う。すなわち、前記白紙結果（１、すなわち白紙と判定）と合わせて「白紙判定のレベル設定が上から２番目であること」を示す情報を合わせて参照可能な形態にする。
【００２２】
画像入力部１０６の出力データ、および白紙判定結果は、制御部１０１の制御に基づき、ＤＭＡＣ１１１により記憶部１０８に転送される。記憶部１０８は、ＤＭＡＣ１１１を介して転送された画像データ、および白紙判定結果を一時保存する。
【００２３】
記憶部１０８に保持された画像データ、および白紙判定結果を元に画像処理部１０７は取得した画像データのプレビュー画像を生成する。
【００２４】
本実施例では、以下、特定の画像データとして印字情報を含まない画像データ（白紙原稿を読み取ることで得られる画像データ）を例に挙げる。また、色や特定の画像、文字、形状、サイズなど特徴が検出可能なものであれば、特定の画像データとして扱うことが出来る。
【００２５】
画像入力部１０６は、原稿を読み取ることで得られた画像データに対して読取画像処理部１０６３により処理を施した画像データと、白紙判定部１０６４による白紙判定結果を出力する。
【００２６】
画像入力部１０６の出力データ、および白紙判定結果は、制御部１０１の制御に基づき、ＤＭＡＣ１１１により記憶部１０８に転送される。記憶部１０８は、ＤＭＡＣ１１１を介して転送された画像データ、および白紙判定結果を一時保存する。
【００２７】
記憶部１０８に保持された画像データ、および白紙判定結果を元に画像処理部１０７はプレビュー表示用の画像データを生成する。
【００２８】
＜操作部＞
図３は図１に示した操作部１０５の構成の一例を説明する平面図である。
【００２９】
図において、画像表示部３０１は、液晶パネル、あるいは有機ＥＬパネルなので構成され後述する接触検知部３１１とともにタッチパネルディスプレイを構成する。スタートキー３０２は原稿画像の読み取り動作を開始するとき等に用いる。ストップキー３０３は稼働中の動作を止める働きをする。テンキー３０４は、数字と文字のボタン群で構成されており、コピー部数の設定や画像表示部３０１の画面切り替えを指示する。接触検知部３１１は、画像表示部３０１に配置されることで以下の操作を検出できる。
（１）タッチパネルディスプレイを指やペンで触れたこと（以下タッチダウンと称す）。
（２）タッチパネルディスプレイを指やペンで触れている状態であること（以下、タッチオンと称す）。
（３）タッチパネルディスプレイを指やペンで触れたまま移動していること（以下、ムーブと称す）。
（４）タッチパネルディスプレイへ触れていた指やペンを離したこと（以下、タッチアップと称す）。
（５）タッチパネルディスプレイに何も触れていない状態（以下、タッチオフと称す）。  
【００３０】
接触検知部３１１は、検知したこれらの操作や、タッチパネルディスプレイ上に指やペン等が触れている位置座標の情報を制御部１０１に通知する。そして、通知された情報に基づいて制御部１０１は、タッチパネルディスプレイに対してどのような操作が行われたかを判定する。ムーブについては、タッチパネルディスプレイ上で移動する指やペンの移動方向についても、位置座標の変化に基づいてタッチパネルディスプレイ上の垂直成分・水平成分毎に検知する。また、タッチパネルディスプレイ上をタッチダウンから一定のムーブを経てタッチアップをした時、ストロークを描いたものと検出する。以下、素早くストロークを描く操作をフリックと呼ぶ。フリックは、タッチパネルディスプレイ上に指を触れたままある程度の距離だけすばやく動かして、そのまま離すといった操作であり、タッチパネルディスプレイ上を指ではじくように素早くなぞる操作である。所定距離以上をムーブしたことを検出し、そのままタッチアップを検出した場合にはフリックが行われたものと判定する。また、所定距離異常を所定速度未満でムーブしたことが検出された場合はドラッグが行われたものと判定する。
【００３１】
図４は画像表示部３０１に表示されるプレビュー画面の一例を示す図である。
【００３２】
プレビュー画像表示部４０１は、画像処理部１０７にて生成されたプレビュー表示用の画像データを表示するための領域である。この領域には生成されたプレビュー表示用の画像（プレビュー画像）４０２、４０３、４０４が表示される。また、プレビュー表示用の画像４０４は白紙判定部１０６４により白紙と判定された画像データのプレビュー画像を表している。ページ番号４０５は、読み取られた原稿のトータルページ数と、現在中央に表示されている画像のページ番号を表している。前へボタン４０６は、前のページのプレビュー画像を表示するためのボタンである。次へボタン４０７は、次のページのプレビュー画像を表示するためのボタンである。
【００３３】
前の白紙へボタン４０８は、プレビュー画像４０２に対応する画像データより前に読み取られた画像データのうち、白紙と判定された画像データのプレビュー画像を表示する為のボタンである。
【００３４】
このボタン４０８が押下されることで、プレビュー画像４０２に対応する画像データよりも前に読み取られた画像データのうち白紙と判定された画像データであり、プレビュー画像４０２に対応する画像データの直前に読み取られた画像データが表示される。また、このボタン４０８にはプレビューされているページより前にあるページのうち、白紙と判定されたページの残りページ数が表示されている。
【００３５】
次の白紙へボタン４０９は、プレビュー画像４０４に対応する画像データより後に読み取られた画像データのうち、白紙と判定された画像データのプレビュー画像を表示する為のボタンである。
【００３６】
このボタン４０９が押下されることで、プレビュー画像４０４よりも後に読み取られた画像データのうち白紙と判定された画像データであり、プレビュー画像４０４の直後に読み取られた画像データが表示される。また、このボタン４０９にはプレビューされているページより後にあるページのうち、白紙と判定されたページの残りページ数が表示されている。
【００３７】
白紙判定レベル調整ボタン４１０が押下されると、読み取られた画像データを白紙と判定されやすくするなど、画像データを白紙と判定するために用いられる閾値の調整をする画面を表示し、この閾値を調整することが出来る。本実施例の例では判定レベルとしているが、白紙判定ロジックの変更など判定強度だけの調整とは限らなくて良い。白紙判定ページを残すボタン４１１は、例えば原稿をスキャンして送信時に白紙判定した後、白紙と判定された画像データも白紙ではないと判定された画像データと一緒に送信したい場合に押下される。そして、白紙と判定された画像データも含め読み取られた全てのページを送信することができる。全白紙判定ページを削除するボタン４１２は、例えば原稿をスキャンして送信する時に、白紙と判定された画像データを処理対象の画像データから削除し、残りの画像データを送信することができる。白紙設定のリセットボタン４１３は、白紙と判定された画像データに対する設定操作をクリアして、スキャン直後の状態にリセットする。
【００３８】
図５は画像表示部３０１に表示されるプレビュー画面の一例を示す図である。プレビュー画像表示部５０１は、画像処理部１０７にて生成されたプレビュー表示用の画像データを表示するための領域である。プレビュー画像５０２は白紙判定部１０６４により白紙と検知された画像データを表している。ページ番号５０３は、読み取られた原稿のトータルページ数と、現在中央に表示されているプレビュー画像のページ番号を表している。
【００３９】
次の白紙へボタン５０４は、プレビューされている画像データより後に読み取られた画像データのうち、白紙と判定された画像データのプレビュー画像を表示する為のボタンである。また、このボタン５０４にはプレビューされているページより後にあるページのうち、白紙と判定されたページの残りページ数が表示されている。
【００４０】
図５の例では、図４では中央に表示されていなかったプレビュー画像４０４に対応する画像データのプレビュー画像５０２が表示画面の中央で表示されている。
【００４１】
よって、図４の４０９で残り２頁と表示していたページ数が、プレビュー画像５０２のページを除いて残り１頁と表示されている例である。
【００４２】
そして、図４と異なり図５では、白紙と判定された画像データのプレビュー画像５０２がプレビュー画面の中央に表示されており、ボタン５０５と、ボタン５０６が表示される。
【００４３】
ボタン５０５は白紙と判定された画像データを残すボタンである。例えば原稿をスキャンして送信する時、白紙と判定された画像データのプレビュー画像が表示されている場合に押下すると、そのプレビューされている白紙と判定された画像データも処理対象データとして送信することができる。白紙判定ページをするボタン５０６は、白紙と判定された画像データのプレビュー画像が表示されている場合に押下する。すると、その白紙と判定された画像データを処理対象データに含めずに送信することができる。
【００４４】
このように、白紙と判定された画像データに対しては、その後の処理（残すまたは削除する）の決定を、プレビュー画面を介して行うことが可能になる。
【００４５】
このようにして、読み取った画像データを全て表示する通常のプレビュー表示画面に対して、前後の白紙と判定されたページへ遷移するボタンを表示する。そして、このボタンが押下されることで、表示画面に表示されていない白紙と判定されたページのプレビュー画像表示を行うことが可能になる。
【００４６】
図６は画像データ構造を示す図である。本データ構造は画像とともに記憶部１０８に保持されている。６０１は入力され記憶された画像データのインデックスを表す。６０２は画像データ自体を示す。６０３はある白紙判定方法を用いた場合の判定結果を示している。図６の例では白紙判定レベル１を用いた場合の結果を示している。６０４は６０３とは別の白紙判定方法を用いた場合の判定結果を示している。図６の例では６０３の白紙判定レベル１よりも、判定対象の画像データを白紙と判定しにくい判定レベル２を用いた場合の判定結果を示している。６０５は有効フラグである。この有効フラグ６０５は、スキャン直後、又はプレビュー時にボタン４１３の白紙設定のリセットボタンを押下された後では、すべての画像データに対して未設定状態である。有効フラグ６０５は、プレビュー時に白紙と判定されたページに対して残すボタン５０５を押下することで、原稿をスキャンして送信する時、処理対象データとして残す設定がなされる。一方、白紙判定ページを削除するボタン５０６が押下されることで、原稿をスキャンして送信する時、処理対象データから削除する設定が設定される。
【００４７】
６０５は確認済みフラグである。プレビュー時にプレビュー画面中央（５０２）に画像データがプレビューされると、プレビュー済みであることを示すフラグを立てる領域である。
【００４８】
６０６は６０５と別途領域を用意しなくてもよい。
【００４９】
この場合、判定対象の画像データがプレビュー画面中央（５０２）にプレビューされた場合、６０５の有効フラグが未設定の状態で他ページに移動またはプレビュー終了時、ボタン５０５・ボタン５０６いずれも押下されず初期選択状態で保存される形態もある。
６０７は読み取った原稿の１ページ目の画像データに対する白紙判定結果に関する情報を示している。具体的には、白紙判定レベル１を用いても白紙判定レベル２を用いても、ともに白紙と判定されている。また、プレビュー済みであり、プレビュー時に削除ボタン５０６が押下されており、この画像データは、処理対象のデータから削除することが指定済みであることが示されている。
【００５０】
６０８は読み取った原稿の２ページ目の画像データに対する白紙判定結果に関する情報を示している。具体的には白紙判定レベル１を用いた場合白紙と判定されている。また、プレビュー済みであり、プレビュー時に残すボタン５０５が押下されており、この画像データは残すことが指定済みであることが示されている。
【００５１】
６０９は読み取った原稿の３ページ目の画像データに対する白紙判定結果に関する情報を示している。具体的には白紙判定レベル１、白紙判定レベル２を用いてもともに白紙と判定されない。よって、プレビュー時に削除ボタン５０６、残すボタン５０５いずれも表示されないページであることを示している。
【００５２】
６１０は読み取った原稿の４ページ目の画像データに対する白紙判定結果に関する情報を示している。具体的には白紙判定レベル１を用いても白紙判定レベル２を用いても白紙と判定されている。また、まだプレビュー表示していないページであることを示している。
【００５３】
６１１は読み取った原稿の５ページ目の画像データに対する白紙判定結果に関する情報を示している。具体的には白紙判定レベル１を用いても白紙判定２を用いても白紙と判定されない。また、まだプレビュー表示していないページであることを示している。
【００５４】
次に、図７のフローチャートを使用して、４０１のプレビュー画像表示部に画像処理部１０７にて生成されたプレビュー表示用の画像データを表示する処理手順について説明する。なお、本動作は、ＲＯＭ１０３に格納されるプログラムを制御部１０１がＲＡＭ１０４に展開し実行することにより実現する。
【００５５】
Ｓ７０１で、図４または図５のようにプレビュー画面を表示する。次に、Ｓ７０２で、制御部１０１は、カレントページを１ページ目に設定する。このページの画像データを処理対象の画像データとする。そしてＳ７０３で、画像処理部１０７にて記憶部１０８に保持されている画像データ構造体、および白紙判定結果を元にプレビュー表示用の画像データを生成する。次にＳ７０４で、制御部１０１はプレビュー表示用の画像データに対応する画像データが、白紙判定レベル１、白紙判定レベル２等複数の白紙判定基準のうちの何れかで白紙判定されたか否かを判断する。Ｓ７０４にて白紙と判定されない画像データのプレビュー画像であると判定された場合、制御部１０１は、Ｓ７１８に進む。そしてＳ７１８では、プレビュー画面にて残すボタン５０５、削除ボタン５０６を表示せずに通常のプレビュー画面で画像データを表示する。
【００５６】
Ｓ７０４において、白紙判定レベル１、白紙判定レベル２等、複数の白紙判定基準のうち何れかで白紙と判定された画像データのプレビュー画像である場合、Ｓ７０５に進む。そして、Ｓ７０５にて、制御部１０１は、画像データ構造体の有効フラグ６０５が、画像データを残すことを示していれば、Ｓ７０７に進む。
【００５７】
一方、Ｓ７０５にて画像データ構造体の有効フラグ６０５が、画像データを削除することを示していればＳ７０６に進む。
【００５８】
また、Ｓ７０４において、画像データ構造体の有効フラグ６０５が未設定である場合、制御部１０１は、現状選択されている白紙判定基準での判定結果が白紙であれことを示せば、Ｓ７０６へ進む。一方、白紙判定されていないことを示せばＳ７０７へ進む。
【００５９】
次に、Ｓ７０６に進んだ場合、制御部１０１は、残すボタン５０５を押下されていない状態であり、削除ボタン５０６を押下されている状態のとき、操作部１０５に処理対象である画像データのプレビュー画像を表示する。
【００６０】
Ｓ７０７に進んだ場合、制御部１０１は、残すボタン５０５を押下されている状態であり、削除ボタン５０６を押下されていない状態のとき、操作部１０５に処理対象である画像データのプレビュー画像を表示する。
【００６１】
次にＳ７１８で、制御部１０１は、操作部１０５にプレビュー画像データ表示画面を表示する。プレビュー表示したことに続いてＳ７０８にて制御部１０１は、画像データ構造体の確認済みフラグ６０６のフラグを立てる。続いて、Ｓ７０９にて制御部１０１は、操作部１０５にてユーザによるボタン押下がされるまで待機する。
【００６２】
ここで、Ｓ７０９において前後ページへの切り替えボタン４０６、４０７が押下されると、Ｓ７１０にて制御部１０１は、カレントページを１ページ前後して、ステップＳ７０３に戻る。一方、Ｓ７０９において、前後の白紙への切り替えボタン４０８、４０９が押下されると、Ｓ７１１に進む。そして、Ｓ７１１にて制御部１０１は、画像データ構造体で一番近い、いずれかの白紙判定基準を用いて白紙と判定されているページをカレントページに設定して、ステップＳ７０３に戻る。
【００６３】
Ｓ７０９において、削除ボタン５０６が押下されると、Ｓ７１２に進む。
【００６４】
Ｓ７１２で制御部１０１は、処理対象の画像データの有効フラグ６０５を「削除」指定にし、残すボタン５０５を押下されていない状態、削除ボタン５０６を押下されている状態で、操作部１０５に処理対象の画像データのプレビュー画像表示をする。そして、ステップＳ７０９に戻る。
【００６５】
Ｓ７０９において、残すボタン５０５が押下されると、Ｓ７１３に進む。
【００６６】
Ｓ７１３で制御部１０１は、処理対象の画像データの有効フラグ６０５を「残す」指定にし、残すボタン５０５を押下されている状態、削除ボタン５０６を押下されていない状態で、操作部１０５に処理対象の画像データのプレビュー画像表示をする。そして、ステップＳ７０９に戻る。
【００６７】
Ｓ７０９において、全白紙消去ボタン４１２が押下されると、Ｓ７１４に進む。
【００６８】
Ｓ７１４で制御部１０１は、画像データ構造体の全体から、有効フラグ６０５のうちフラグの設定が未設定の画像データの有効フラグを全て「削除」に変更する。そして、ステップＳ７０３に戻る。
【００６９】
Ｓ７０９において、全て残すボタン５０６が押下されると、Ｓ７１５に進む。
【００７０】
Ｓ７１５で制御部１０１は、画像データ構造体の全体から、有効フラグ６０５のうちフラグの設定が未設定の画像データの有効フラグを全て「残す」に変更する。そして、ステップＳ７０３に戻る（Ｓ７１５）。
【００７１】
Ｓ７０９において、白紙判定レベル調整ボタン５１０が押下されると、Ｓ７１６に進む。Ｓ７１６で制御部１０１は、白紙判定レベルを変更する。そして、変更した白紙判定レベルで画像データに対する白紙判定を行った結果を、画像データ構造体に保存し、ステップＳ７０３に戻る（Ｓ７１６）。
【００７２】
Ｓ７０９において、リセットボタン５１３が押下されると、Ｓ７１７に進む。Ｓ７１７では制御部１０１は、画像データ構造体の全体から、有効フラグ全部を削除し、白紙と判定された画像データに対するフラグを全て未設定にし、ステップＳ７０３に戻る。
【００７３】
このようにして、プレビュー画像に対応する画像データに対して、プレビュー画面を介して指示を行うことが可能になる。
【００７４】
このように、本実施例では、複数の画像データのそれぞれに対応するプレビュー画像を表示する場合、印字情報を含まないと判定された白紙の画像データが複数の画像データ全体のどこに位置するかを容易に認識可能である。
【００７５】
また、現在表示されているプレビュー画像に対応する画像データの前後にある白紙と判断されたページの画像データのプレビュー画像を表示することも可能である。
【００７６】
また、画面を介した簡単な操作により、白紙と判定された画像データを出力対象にすることや、出力対象の画像データを非出力対象にすることができる。
【００７７】
これにより、読み取った画像データの編集に伴う操作性が格段に向上する。
【００７８】
（その他の実施例）
本発明は、以下の処理を実行することによっても実現される。即ち、上述した実施例の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2018148572.tif 000003
【図２】
2018148572.tif 000004
【図３】
2018148572.tif 000005
【図４】
2018148572.tif 000006
【図５】
2018148572.tif 000007
【図６】
2018148572.tif 000008
【図７】
2018148572.tif 000009